(57)【要約】【課題】対象者に朝寝坊などの例外的な事態が生じても適切に薬を提供可能にする。【解決手段】薬提供装置の提供側制御部は、基準時刻である「（基準）朝用薬提供時刻」と対象者の起床時刻との差に応じて朝用薬提供時刻を特定する（ステップＳ２Ａ、Ｓ３Ａ、Ｓ４Ａ）。そして、提供側制御部４０は、特定した朝用薬提供時刻に、対象者に薬を提供する処理（薬提供処理）を実行する（ステップＳ５Ａ、Ｓ６Ａ）。【選択図】図６
2018089303.tif 000002
【特許請求の範囲】
【請求項１】
薬を提供する薬提供部と、
薬提供時刻の基準となる基準時刻を記憶する記憶部と、
対象者の起床時刻を取得する起床時刻取得部と、
前記基準時刻と前記起床時刻との差に応じて薬提供時刻を特定し、前記薬提供時刻に、前記対象者に前記薬を提供する処理を実行する制御部と、
を備えたことを特徴とする服薬支援装置。
【請求項２】
薬を提供する薬提供装置と、対象者の起床時刻を取得する見守り装置とを備え、
前記見守り装置は、
前記起床時刻を示す情報を前記薬提供装置に送信する通信部を有し、
前記薬提供装置は、
前記薬を提供する薬提供部と、
薬提供時刻の基準となる基準時刻を記憶する記憶部と、
前記起床時刻を示す情報を受信する通信部と、
前記基準時刻と前記起床時刻との差に応じて薬提供時刻を特定し、前記薬提供時刻に、前記対象者に前記薬を提供する処理を実行する制御部と、
を備えたことを特徴とする服薬支援装置。
【請求項３】
前記制御部は、前記基準時刻と前記起床時刻との差が所定値以上の場合、前記基準時刻を、前記薬提供時刻とし、前記差が所定値未満の場合、前記差を所定値以上にする時刻を、前記薬提供時刻にすることを特徴とする請求項１又は２に記載の服薬支援装置。
【請求項４】
前記記憶部は、前記薬が取り出された薬取出時刻を含む履歴情報と、前記薬の摂取濃度に関する情報を含む薬情報とを記憶し、
前記制御部は、前記履歴情報と前記薬情報とに基づき、前記薬提供時刻を、前記摂取濃度が予め定めた上限値を超えない時刻に補正することを特徴とする請求項１乃至３のいずれか一項に記載の服薬支援装置。
【請求項５】
前記制御部は、前記記憶部に記憶された、前記薬が取り出された薬取出時刻の履歴情報のうち、前記基準時刻からのずれか所定時間内に収まる薬取出時刻の平均値を求め、前記平均値の値に、前記基準時刻を更新する更新処理を行うことを特徴とする請求項１乃至４のいずれか一項に記載の服薬支援装置。
【請求項６】
前記基準時刻は、起床時刻の基準時刻を含み、
前記履歴情報は、前記起床時刻取得部によって取得した起床時刻を含み、
前記制御部は、前記履歴情報に含まれる起床時刻のうち、前記起床時刻の基準時刻からのずれが所定時間内に収まる起床時刻の平均値を求め、前記平均値の値に、前記起床時刻の基準時刻を更新する更新処理を行うことを特徴とする請求項５に記載の服薬支援装置。
【請求項７】
前記制御部は、前記基準時刻と前記起床時刻との差に応じて朝用の薬提供時刻を特定することを特徴とする請求項１乃至６のいずれか一項に記載の服薬支援装置。
【請求項８】
薬を提供する服薬支援装置の制御方法において、
対象者の起床時刻を取得し、
薬提供時刻の基準となる基準時刻と前記起床時刻との差に応じて薬提供時刻を特定し、前記薬提供時刻に、前記薬を提供する処理を実行することを特徴とする服薬支援装置の制御方法。
【発明の詳細な説明】
【技術分野】
【０００１】
本発明は、薬を提供する服薬支援装置、及び服薬支援装置の制御方法に関する。
【背景技術】
【０００２】
昨今、定期的に薬を服用する薬服用者が処方された薬を飲み忘れてしまうことを防止するために、予め設定した時刻に自動的に薬を提供する服薬支援装置が開発されている。
【０００３】
しかし薬服用者のその日の行動によっては薬服用時間がずれることがある。このため、薬の提供時刻が固定されていると、場合によっては薬服用者にとって適切なタイミングで薬を提供出来ない虞がある。
薬服用者のその日のスケジュールなどを考慮して都度薬の提供時間を変更しても良いが、毎日のように服薬予定時間の設定を変更することは非常に煩わしい。まして１日に複数回にわたって薬を服用する薬服用者にとっては提供時間の変更は相応の負担になることが容易に想像がつく。
【０００４】
以上のような問題に対し、例えば特許文献１では薬箱の蓋開閉を検知し、開状態から閉状態になった時刻を薬服用完了時刻と見做し、前記薬服用完了時刻に基づいて次回の薬提供時刻を自動的に更新する技術が開示されている。
【先行技術文献】
【特許文献】
【０００５】
【特許文献１】特開２００４−３２９３９９号公報
【特許文献２】実開平２−６０４７号公報
【発明の概要】
【発明が解決しようとする課題】
【０００６】
特許文献１では薬箱の蓋開閉を検知し、開状態から閉状態になった時刻を薬服用完了時刻と見做している。このため、薬服用者（以下、対象者と言う）が朝寝坊をしてしまうなどの予期せぬ事態により時間ずれが発生した場合には、適切な薬服用予定時刻を修正することができず、本来服用すべき薬を予定時刻に服用することが出来ない虞がある。
【０００７】
そこで、本発明は、対象者に朝寝坊などの例外的な事態が生じても適切に薬を提供可能にすることを目的とする。
【課題を解決するための手段】
【０００８】
上記目的を達成するために、本発明の服薬支援装置は、薬を提供する薬提供部と、薬提供時刻の基準となる基準時刻を記憶する記憶部と、対象者の起床時刻を取得する起床時刻取得部と、前記基準時刻と前記起床時刻との差に応じて薬提供時刻を特定し、前記薬提供時刻に、前記対象者に前記薬を提供する処理を実行する制御部と、を備えたことを特徴とする。
【０００９】
また、本発明の服薬支援装置は、薬を提供する薬提供装置と、対象者の起床時刻を取得する見守り装置とを備え、前記見守り装置は、前記起床時刻を示す情報を前記薬提供装置に送信する通信部を有し、前記薬提供装置は、前記薬を提供する薬提供部と、薬提供時刻の基準となる基準時刻を記憶する記憶部と、前記起床時刻を示す情報を受信する通信部と、前記基準時刻と前記起床時刻との差に応じて薬提供時刻を特定し、前記薬提供時刻に、前記対象者に前記薬を提供する処理を実行する制御部と、を備えたことを特徴とする。
【００１０】
上記構成において、前記制御部は、前記基準時刻と前記起床時刻との差が所定値以上の場合、前記基準時刻を、前記薬提供時刻とし、前記差が所定値未満の場合、前記差を所定値以上にする時刻を、前記薬提供時刻にしてもよい。
【００１１】
また、上記構成において、前記記憶部は、前記薬が取り出された薬取出時刻を含む履歴情報と、前記薬の摂取濃度に関する情報を含む薬情報とを記憶し、前記制御部は、前記履歴情報と前記薬情報とに基づき、前記薬提供時刻を、前記摂取濃度が予め定めた上限値を超えない時刻に補正してもよい。
【００１２】
また、上記構成において、前記制御部は、前記記憶部に記憶された、前記薬が取り出された薬取出時刻の履歴情報のうち、前記基準時刻からのずれか所定時間内に収まる薬取出時刻の平均値を求め、前記平均値の値に、前記基準時刻を更新する更新処理を行ってもよい。
【００１３】
また、上記構成において、前記基準時刻は、起床時刻の基準時刻を含み、前記履歴情報は、前記起床時刻取得部によって取得した起床時刻を含み、前記制御部は、前記履歴情報に含まれる起床時刻のうち、前記起床時刻の基準時刻からのずれが所定時間内に収まる起床時刻の平均値を求め、前記平均値の値に、前記起床時刻の基準時刻を更新する更新処理を行ってもよい。
【００１４】
また、上記構成において、前記制御部は、前記基準時刻と前記起床時刻との差に応じて朝用の薬提供時刻を特定してもよい。
【００１５】
また、本発明は、薬を提供する服薬支援装置の制御方法において、対象者の起床時刻を取得し、薬提供時刻の基準となる基準時刻と前記起床時刻との差に応じて薬提供時刻を特定し、前記薬提供時刻に、前記薬を提供する処理を実行することを特徴とする。
【発明の効果】
【００１６】
本発明は、対象者の起床時刻を取得し、薬提供時刻の基準となる基準時刻と前記起床時刻との差に応じて薬提供時刻を特定し、前記薬提供時刻に、前記薬を提供する処理を実行するので、対象者に朝寝坊などの例外的な事態が生じても適切に薬を提供可能になる。
【図面の簡単な説明】
【００１７】
【図１】本発明の第１実施形態に係る服薬支援装置を示す図である。
【図２】薬提供装置のブロック図である。
【図３】初期設定情報の一例を示す図である。
【図４】履歴情報の一例を示す図である。
【図５】図４の履歴情報から算出した基準時刻を示す図である。
【図６】薬提供装置の朝用薬の提供動作を示すフローチャートである。
【図７】薬提供装置の昼用薬の提供動作を示すフローチャートである。
【図８】薬提供装置の夜用薬の提供動作を示すフローチャートである。
【図９】薬提供装置の就寝前用薬の提供動作を示すフローチャートである。
【図１０】本発明の第２実施形態に係る服薬支援装置のブロック図である。
【発明を実施するための形態】
【００１８】
以下、図面を参照して本発明の実施の形態について説明する。なお、説明の便宜上、本説明における服薬支援装置は自宅で一人暮らしをしている人が利用している場合を想定して記載するが、本発明の実施の形態に限定されるものではない。本発明の主旨に基づいて種々変形することが可能であり、それらを本発明の範囲から排除するものではない。
＜第１実施形態＞
図１は本発明の第１実施形態に係る服薬支援装置１を示す図である。
この服薬支援装置１は、薬服用者（以下、対象者と言う）の起床時刻を取得する見守り装置１０と、対象者に対し、薬提供時刻に薬を提供する薬提供装置２０とを備えるシステムであり、服薬支援システムとも称する。これら装置１０、２０は、ＴＣＰ／ＩＰネットワークなどの有線、或いは無線の通信ネットワークを介して互いに接続され、互いの間で各種データを通信可能に構成されている。有線通信はＵＳＢ又は有線ＬＡＮの規格に従った通信でもよいし、また、無線通信はBluetooth（登録商標）の規格に従った通信でもよい。
【００１９】
見守り装置１０は、対象者の起床・就寝検出機能及び通信機能を有した情報処理装置である。この見守り装置１０は、センサー部１１と、記憶部（以下、見守り側記憶部と言う）１２と、制御部（以下、見守り側制御部と言う）１３と、通信部１４と、報知部（以下、見守り側報知部と言う）１５とを備える。
センサー部１１は、対象者が起床しているかを検出可能な起床検出センサーを有する。なお、この起床検出センサーは、対象者が就寝しているか否かを検出する就寝検収センサーも兼用する。起床検出センサーは、赤外線センサーであり、対象者が寝起きするエリア（例えば寝室）内の温度分布を示す温度画像データを出力する。センサー部１１は、見守り側制御部１３の制御の下、所定の周期で、温度画像データを取得し、見守り側制御部１３に送信する。
【００２０】
見守り側記憶部１２は、見守り装置１０が使用するプログラムなどの各種のデータを記憶する。見守り側記憶部１２は、不揮発性の記憶装置で構成され、例えば、ＨＤＤ（ハードディスクドライブ）やフラッシュメモリーなどである。
見守り側制御部１３は、ＣＰＵ、ＲＯＭ、ＲＡＭ及び周辺回路などを備え、見守り側記憶部１２に記憶されるプログラムを実行することによって、見守り装置１０の各部を制御する。
【００２１】
見守り側制御部１３は、センサー部１１からの温度画像データを解析し、対象者が起床したか否か、就寝したか否か、及び不在か否かなどを判定する解析機能も有している。具体的には、見守り側制御部１３は、温度画像データを画像解析して検出エリア内の人物（対象者）の姿勢を検出する。この姿勢が、ベッドに横になった姿勢から起き上がったり、ベッドに座ったりした姿勢などの所定の姿勢（座位、立位、端座位の姿勢）に変化し、且つ、その姿勢で所定時間が経過した場合に、起床したと判定し、所定の姿勢に変化した時点を起床時刻と判定する。また、ベッドに横になった姿勢に変化し、且つ、その姿勢で所定時間が経過した場合に、就寝と判定し、横になった姿勢に変化した時点を就寝時刻と判定する。また、検出エリア内に人物を検出できなくなった場合に不在と判定し、不在と判定後に人物を検出した場合に在室と判定する。
【００２２】
見守り側制御部１３は、対象者の起床、就寝、不在又は在室を検出する毎に、起床、就寝、不在又は在室の時刻を示す情報を、起床時刻、就寝時刻、不在時刻又は在室時刻として、通信部１４を介して薬提供装置２０に送信する。
これら時刻を示す情報は、起床時刻、就寝時刻、不在時刻又は在室時刻そのものの情報でもよいし、起床タイミング、就寝タイミング、不在タイミング又は在室タイミングを通知する情報でもよい。なお、タイミングを通知する場合は、薬提供装置２０側で各タイミングの時刻を特定する。
【００２３】
なお、対象者が深夜にトイレに行く場合も考えられる。この場合、例えば、見守り制御部１３が、トイレに設置した人感センサーによってトイレに入ったことを検出し、検出した場合に、トイレに行ってベッドに戻ってくる動作に関しては、起床時間とみなさいようにすることが好ましい。この動作に関しては、起床、就寝等とは別行動のものとして見守り側記憶部１２に記憶するようにしてもよい。
また、本実施形態では、見守り側制御部１３が、対象者の起床、就寝、不在又は在室を検出する場合を説明したが、これに限定されない。例えば、見守り側制御部１３が温度画像データを薬提供装置２０に送信し、薬提供装置２０内の提供側制御部４０（図２）が対象者の起床、就寝、不在又は在室を検出するようにしてもよい。
【００２４】
通信部１４は、薬提供装置２０と通信するための通信デバイスであり、有線又は無線の公知の通信デバイスによって実現される。この通信部１４は、見守り側制御部１３の制御の下、起床時刻などの時刻情報を薬提供装置２０に送信する情報送信部として機能する。
見守り側報知部１５は、音声制御部１６と、アンプ部１７と、スピーカー１８とを有する。音声制御部１６は、見守り側制御部１３の制御の下、見守り側記憶部１２から読み出した音声データに基づきアンプ部１７を駆動し、アンプ部１７によって、スピーカー１８から、音声データに対応する音声を放音させる。これにより、見守り側報知部１５は、見守り側制御部１３の制御の下、各種の音声を報知可能である。
【００２５】
本実施形態の見守り側報知部１５は、薬提供装置２０からの指示に基づき見守り側制御部１３が動作することで、見守り側報知部１５によって、寝室に存在する対象者に薬を提供する処理（以下、薬提供処理という）を実行させることも可能である。この場合、見守り側報知部１５は、対象者に薬の服用を促す音声、例えば、薬提供時刻に至ったことを伝える「お薬の時間です」といった音声、又は予め規定されたブザー音を放音する。
なお、見守り装置１０側で薬提供処理を実行させなくてもよく、また、見守り装置１０で薬提供処理を実行するか否かは選択可能にしてもよい。また、対象者が寝室に在室する場合にだけ、見守り装置１０側で薬提供処理を実行させるようにしてもよい。
【００２６】
また、見守り装置１０が実行する薬提供処理として、現在時刻が薬提供時刻に至ったことを音声で報知する場合を説明したが、音声に限らず、公知の表示デバイスを利用した表示処理によって報知してもよい。また、報知内容は、薬提供時刻に至ったことに限定されず、例えば、薬の服用を促す音声又は表示でもよい。
【００２７】
この見守り装置１０は、センサー部１１が赤外線センサーを有するので、夜中に起床した場合でも起床を検出でき、しかも、対象者の姿勢を含む動きを検出することも可能である。このため、対象者に何らかの異常事態が生じていないか否かを監視する監視装置を兼用してもよい。
【００２８】
図２は薬提供装置２０のブロック図である。
薬提供装置２０は、対象者に薬を提供する機能及び通信機能を有した情報処理装置であり、この薬提供装置２０を対象者の服薬を支援する服薬支援装置と言うこともできる。この薬提供装置２０は、薬を提供する薬提供部２１と、薬取出時刻検出部２２と、通信部２３と、計時部２４と、表示部２５と、報知部（以下、提供側報知部と言う）２７と、記憶部（以下、提供側記憶部と言う）３５と、制御部（以下、提供側制御部と言う）４０とを備える。
【００２９】
薬提供部２１は、複数のピルケースを格納し、不図示のピルケース排出スイッチ（操作スイッチ）が操作される毎にピルケースを一個ずつ排出する。各ピルケースには一回分の薬が各々収納される。これによって、薬提供部２１は、対象者に一回分の薬を提供可能である。
本実施形態では、朝用薬、昼用薬、夜用薬、就寝前用薬など、時間帯に応じた各薬を収容したピルケースが、朝用収納部、昼用収納部、夜用収納部、及び就寝前用収納部の４つのそれぞれの収納部に収納される。そして、予め各薬の提供時刻（薬提供時刻）を設定しておき、各提供時刻になると、提供側制御部４０の制御の下、薬提供処理として、現在時刻が薬提供時刻に至ったことを報知する処理を行う。また、提供側制御部４０は、ピルケース排出スイッチが操作された場合に、朝用薬、昼用薬、夜用薬、就寝前用薬のうちの適切な薬を収納したピルケースを排出させる。
【００３０】
薬取出時刻検出部２２は、ピルケースが取り出されたか否かを検出するセンサーを有し、ピルケースが取り出された時刻を示す情報を、薬取出時刻として、提供側制御部４０に出力する。薬取出時刻は、時刻そのものの情報でもよいし、薬取出タイミングを通知する情報でよい。薬取出タイミングを通知する場合、提供側制御部４０が薬取出タイミングの時刻を特定する。
通信部２３は、見守り装置１０と通信するための通信デバイスであり、有線又は無線の公知の通信デバイスによって実現される。
【００３１】
計時部２４は、時刻を計時する回路であり、例えば、リアルタイムクロックで構成される。
表示部２５は、提供側制御部４０の制御の下、初期設定画面などの各種の情報を表示する表示デバイスであり、例えば、液晶ディスプレイである。この表示部は、タッチパネル２６を有しており、このタッチパネル２６を介してユーザーから各種指示を入力する指示入力部としても機能する。
ユーザーは、対象者又は薬を管理する管理者である。管理者は、例えば、対象者の家族、医師、介護士、ヘルパー、薬局の薬剤師などである。
【００３２】
提供側報知部２７は、提供側制御部４０の制御の下、対象者に薬を提供する処理（薬提供処理）として、現在時刻が薬提供時刻に至ったことを報知する処理を行う。この提供側報知部２７は、音声制御部２８と、アンプ部２９と、スピーカー３０とを有する構成である。これらによって、見守り側報知部１５と同様に、スピーカー３０から、対象者に薬の服用を促す音声（例えば、薬提供時刻に至ったことを伝える「お薬の時間です」又はブザー音）などを放音させることができる。
【００３３】
提供側記憶部３５は、薬提供装置２０が使用するプログラムなどの各種のデータを記憶する。この提供側記憶部３５は、不揮発性の記憶装置で構成され、例えば、ＨＤＤ（ハードディスクドライブ）やフラッシュメモリーなどである。この提供側記憶部３５は、プログラムなどのデータに加えて、薬提供部２１が提供する薬に関する薬情報ＤＡ、薬提供時刻の初期設定情報ＤＢ、薬提供時刻などの服薬支援装置１で使用する各時刻の基準時刻ＤＣ、及び履歴情報ＤＤを記憶する。これらデータの読み出し及び書き込みは、提供側制御部４０によって行われる。
なお、履歴情報ＤＤは、見守り装置１０から受信した情報（起床時刻、就寝時刻、不在時刻、及び在室時刻）、及び薬取出時刻検出部２２によって得られた薬取出時刻を蓄積した情報である。
【００３４】
提供側制御部４０は、ＣＰＵ、ＲＯＭ、ＲＡＭ及び周辺回路などを備え、提供側記憶部３５に記憶されたプログラムを実行することによって、薬提供装置２０の各部を制御する。また、提供側制御部４０は、提供側記憶部３５に記憶される薬情報ＤＡ及び履歴情報ＤＤなどを利用して、対象者の薬の摂取濃度（血中濃度とも称する）を算出し、摂取濃度が適正範囲か否かを判定する摂取濃度判定機能、及び履歴情報ＤＤに基づき基準時刻ＤＣを更新する基準時刻更新機能を有している。
【００３５】
具体的には、薬情報ＤＡは、投薬後の薬の摂取濃度（血中濃度）の時間変化を特定可能な情報、及び摂取濃度の上限値の情報を含む。このため、提供側制御部４０は、履歴情報ＤＤに基づき対象者の投薬量及び投薬間隔を取得し、薬情報ＤＡに基づいて、投薬量及び投薬間隔から対象者の薬の摂取濃度（血中濃度）を算出可能である。そして、次回の薬提供時刻に投薬されたと仮定した場合について、対象者の薬の摂取濃度を算出し、この場合の摂取濃度の最大値が、上限値以上か否かを判定する。本実施形態では、摂取濃度が上限値以上の場合は、次回の薬提供時刻を遅らせて摂取濃度が上限値を超えないようにする。なお、上限値は、許容範囲内で任意の値に設定可能である。
なお、薬情報ＤＡは、薬の効能時間、及び効能情報などの薬に関する他の情報を含んでよく、また薬情報ＤＡの内容を表示部２５に表示して対象者等に情報提供してもよい。
【００３６】
図３は初期設定情報ＤＢの一例を示す図である。
初期設定情報ＤＢは、ユーザー（対象者又は薬を管理する管理者）が最初に設定する薬提供時刻などの初期値である。具体的には、初期設定情報ＤＢは、「（初期）起床時刻」、「（初期）朝用薬提供時刻」、「（初期）起床時刻と朝用薬提供時刻の差分時間」、「（初期）昼用薬提供時刻」、「（初期）夜用薬提供時間」「（初期）就寝前用薬提供時刻」、「（初期）就寝時刻」の情報である。
ここで、「（初期）起床時刻と朝用薬提供時刻の差分時間」は、起床後、食事（朝食）を済ますまでに要する時間を含んでいる。
初期設定情報ＤＢの入力は、例えば、表示部２５に表示されるメニュー画面に従って、ユーザー（対象者又は管理者）が入力することで、提供側記憶部３５に記憶される。若しくは、ＵＳＢ又はＳＤカードなどの外部記憶媒体から読み出して提供側記憶部３５に記憶する方法、又は外部サーバーから送信されたデータを提供側記憶部３５に記憶する方法でもよい。
【００３７】
初期動作時には基準時刻ＤＣが設定されていない。このため、基準時刻ＤＣが設定されていない動作初期時、提供側制御部４０は、初期設定情報ＤＢに記憶される時刻を、基準時刻ＤＣとして使用する。つまり、提供側制御部４０は、上記初期設定情報ＤＢに記憶される時刻に基づき薬提供処理（薬提供時刻に至ったことを報知する処理）を実行する。
そして、予め定めた期間（本実施形態では一週間）が経過すると、提供側制御部４０は、履歴情報ＤＤに蓄積された各時刻に基づき、薬提供時刻などの基準時刻ＤＣを設定する。
基準時刻ＤＣを設定した後は、提供側制御部４０は、基準時刻ＤＣに基づき薬提供処理（薬提供時刻に至ったことを報知する処理）を実行する。
【００３８】
図４は履歴情報ＤＤの一例を示す図である。また、図５は図４の履歴情報ＤＤから算出した基準時刻ＤＣを示す図である。
図４に示すように、履歴情報ＤＤには、見守り装置１０及びに薬取出時刻検出部２２によって得られた対象者の「起床時刻」、「朝用薬取出時刻」、「起床時刻と朝用薬取出時刻の差分時間」、「昼用薬取出時刻」、「夜用薬取出時刻」、「就寝前用薬取出時刻」及び「就寝時刻」が格納される。なお、図４は一週間分の履歴情報ＤＤを示している。
【００３９】
提供側制御部４０は、予め定めた周期（本実施形態では一週間）で、履歴情報ＤＤ中の「起床時刻」、「朝用薬取出時刻」、「起床時刻と朝用薬取出時刻の差分時間」、「昼用薬取出時刻」、「夜用薬取出時刻」、「就寝前用薬取出時刻」、及び「就寝時刻」の各々について、直前の一週間（予め定めた期間分）の平均値を求める。なお、図４には、説明の便宜上、各時刻の平均値についても記載している。
そして、提供側制御部４０は、図５に示すように、「起床時刻」の平均値を「（基準）起床時刻」、「朝用薬取出時刻」の平均値を「（基準）朝用薬提供時刻」、「起床時刻と朝用薬取出時刻の差分時間」の平均値を「（基準）起床時刻と朝用薬提供時刻の差分時間」、「昼用薬取出時刻」の平均値を「（基準）昼用薬提供時刻」、「夜用薬取出時刻」の平均値を「（基準）夜用薬取出時刻」、「就寝前用薬取出時刻」の平均値を「（基準）就寝前用薬提供時刻」、「就寝時刻」の平均値を「（基準）就寝時刻」に設定する。このようにして、基準時刻ＤＣを設定する。
【００４０】
このように、対象者の実際の起床時刻、薬取出時刻などの平均値を、基準時刻ＤＣに設定するので、対象者の生活リズムに合わせた基準時刻ＤＣを設定することができる。なお、図４では、相加平均（算術平均とも称する）の平均値を求める場合を説明したが、相加平均に限定しなくてもよい。
ここで、「（基準）起床時刻と朝用薬提供時刻の差分時間」は、対象者が食事（朝食）を済ます時間を含む時間である。このため、この（基準）差分時間よりも短い時間で朝用薬が取り出された場合は、食事が済んでいない状態で朝用薬が取り出された可能性が高いと判断可能である。
【００４１】
但し、履歴情報ＤＤ中に、寝坊、昼寝などの例外的な行為に起因する時刻とみなせる時刻については、基準時刻ＤＣの計算からは除外することが好ましい。
そこで、本実施の形態では、現在の設定時刻から所定時間（例えば前後二時間）の範囲内の時刻の情報に限定し、所定時間内に収まる時刻情報に基づいて、基準時刻ＤＣの各時刻を算出する。
なお、本実施形態では、一週間毎に、過去一週間分の履歴情報ＤＤに基づいて基準時刻ＤＣを算出する場合を説明したが、一日毎に更新してもよく、更新の周期は適宜に変更可能である。
【００４２】
図６は薬提供装置２０の朝用薬の提供動作を示すフローチャートである。
提供側制御部４０は、対象者が起床したか否かを判定する（ステップＳ１Ａ）。対象者が起床したか否かは、見守り装置１０から本日の起床時刻を受信しているか否か、つまり、履歴情報ＤＤに本日の起床時刻が含まれているか否かを判定することによって検出可能である。なお、薬提供装置２０が、見守り装置１０に対し、対象者が起床しているか否かを確認する指示を所定周期で出し、見守り装置１０から起床の検出が通知された場合に、起床したと判定する構成にしてもよい。
【００４３】
対象者が起床した場合（ステップＳ１Ａ：ＹＥＳ）、提供側制御部４０は、履歴情報ＤＤに記憶される最新の「起床時刻」と、基準時刻ＤＣ内の「（基準）朝用薬提供時刻」との差が、基準時刻ＤＣ内の「（基準）起床時刻と朝用薬提供時刻の差分時間」以上か否かを判定する（ステップＳ２Ａ）。
差分時間以上の場合（ステップＳ２Ａ：ＹＥＳ）、提供側制御部４０は、「（基準）朝用薬提供時刻」を「朝用薬提供時刻」に設定し（ステップＳ３Ａ）、ステップＳ５Ａの処理に移行する。
【００４４】
一方、差分時間未満の場合（ステップＳ２Ａ：ＮＯ）、対象者が食事（直食）を済ます時間を確保できないと判断できるので、提供側制御部４０は、朝用薬提供時刻を、「（基準）朝用薬提供時刻」よりも上記差分時間以上遅い時刻にし（ステップＳ４Ａ）、ステップＳ５Ａの処理に移行する。これにより、起床時刻と（基準）朝用薬提供時刻との間に、食事（朝食）の時間が確保されない場合、その時間を確保する「朝用薬提供時刻」を設定する。従って、対象者が朝寝坊した場合に、食事（朝食）の時間を確保した時刻を、朝用薬提供時刻にすることができる。
【００４５】
ステップＳ５Ａにおいて、提供側制御部４０は、計時部２４が計時する現在時刻が「朝用薬提供時刻」に至ったか否かを判定する。
「朝用薬提供時刻」に至ってないと判定した場合（ステップＳ５Ａ：ＮＯ）、提供側制御部４０は、ステップＳ１０Ａの処理に移行し、計時部２４が計時する現在時刻が、「（基準）昼用薬提供時刻」に至ったか否かを判定する。「（基準）昼用薬提供時刻」に至っていない場合（ステップＳ１０Ａ：ＮＯ）、提供側制御部４０は、ステップＳ５Ａの処理に移行する。
なお、上記の各処理において、基準時刻ＤＣの設定前であれば、初期設定情報ＤＢの情報（例えば、（初期）朝用薬提供時刻、（初期）起床時刻と朝用薬提供時刻の差分時間、（初期）昼用薬提供時刻など）が使用される。
【００４６】
ステップＳ５Ａで「朝用薬提供時刻」に至ったと判定した場合、提供側制御部４０は、薬提供処理を実行する（ステップＳ６Ａ）。これによって、対象者に薬の服用を促す音声が放音される。この場合、提供側制御部４０は、見守り装置１０に対し薬提供処理を実行させる指示を出してもよい。例えば、見守り装置１０は、見守り装置１０の検出エリアに人物が在室する場合に、薬提供処理を実行し、人物が在室しない場合は薬提供処理を実行しないようにしてもよい。
【００４７】
薬提供処理を実行した後、提供側制御部４０は、薬取出時刻検出部２２を利用して、予め定めた「待ち時間」内に朝用薬のピルケースが取り出されたか否かを判定する（ステップＳ７Ａ）。
「待ち時間」は、薬提供処理（薬の服用を促す音声の放音）の実行を開始してから朝用薬のピルケースが取り出されるまでの最大待ち時間であり、且つ、薬提供処理を継続して実行する時間でもある。この待ち時間は、対象者又は管理者が任意に設定可能な時間、又は予め固定された時間とされ、３０分以内の時間に設定することの好ましい。
【００４８】
「待ち時間」内に朝用薬のピルケースが取り出されたと判定すると（ステップＳ７Ａ：ＹＥＳ）、提供側制御部４０は、薬取出時刻検出部２２が検出した朝用薬取出時刻を日付と共に、提供側記憶部３５内に履歴情報ＤＤとして記憶する（ステップＳ８Ａ）。
この場合、提供側制御部４０は、「起床時刻と朝用薬取出時刻の差分時間」を算出し、この算出結果も日付と共に、提供側記憶部３５内に履歴情報ＤＤとして記憶する。これによって、履歴情報ＤＤには、最新の「起床時刻」、「朝用薬取出時刻」及び「起床時刻と朝用薬取出時刻の差分時間」が記憶される。
本実施形態では、朝用薬提供時刻を、起床後、食事（朝食）を取る時間を確保した時刻に設定するので、起床直後の胃が空の状態で薬を服用する事態を避け易くなる。
【００４９】
「待ち時間」内に朝用薬のピルケースが取り出されなかった場合（ステップＳ７Ａ：ＮＯ）、提供側制御部４０は、ステップＳ１０Ａの処理に移行する。
ステップＳ１０Ａで「（基準）昼用薬提供時刻」に至ったと判定した場合、朝用薬のピルケースが取り出されていないので、提供側制御部４０は、朝用薬の取り出しが無かった旨を、日付と共に履歴情報ＤＤ内に記憶する（ステップＳ１１Ａ）。
これによって、履歴情報ＤＤを参照することにより、朝用薬が服用されなかった日付を把握可能である。このように、提供側制御部４０は、朝用薬が取り出されたことを記憶するまでか、若しくは朝用薬が取り出されなかったことを記憶するまで図６に示す制御フローを実行する。
【００５０】
上記したように、「起床時刻」、「朝用薬取出時刻」、「起床時刻と朝用薬取出時刻の差分時間」、及び朝用薬が取り出されなかったことが提供側記憶部３５に記憶されるので、対象者の状況を把握可能になる。但し、起床時刻が「（基準）起床時間」から予め定めた所定時間をオーバーしている場合、提供側制御部４０は、対象者が朝寝坊したものと見做し、基準時刻ＤＣの設定及び更新には使用しないようにする。
【００５１】
図７は薬提供装置２０の昼用薬の提供動作を示すフローチャートである。
提供側制御部４０は、計時部２４が計時する現在時刻が「昼用薬提供時刻」に至ったか否かを判定する（ステップＳ１Ｂ）。ここでの「昼用薬提供時刻」は、基準時刻ＤＣが設定されている場合は「（基準）昼用薬提供時刻」であり、基準時刻ＤＣが設定されていない場合は「（初期）昼用薬提供時刻」である。
昼用薬提供時刻に至っていない場合（ステップＳ１Ｂ：ＮＯ）、提供側制御部４０は、所定の周期で、ステップＳ１Ｂの処理を実行する。
【００５２】
一方、昼用薬提供時刻に至ったと判定すると（ステップＳ１Ｂ：ＹＥＳ）、提供側制御部４０は、履歴情報ＤＤと薬情報ＤＡとに基づき、その昼用薬提供時刻に薬を服用したと仮定した場合に対象者の薬の摂取濃度が上限値以上になるか否かを判定する（ステップＳ２Ｂ）。
薬の摂取濃度が上限値以上になる場合（ステップＳ２Ｂ：ＹＥＳ）、提供側制御部４０は、昼用薬提供時刻を、薬の摂取濃度が上限値を超えない時刻に補正し（ステップＳ３Ｂ）、ステップＳ４Ｂの処理に移行する。
薬の摂取濃度が上限値未満の場合（ステップＳ２Ｂ：ＮＯ）、提供側制御部４０は、ステップＳ４Ｂの処理に移行する。
【００５３】
ステップＳ４Ｂでは、提供側制御部４０は、薬提供処理を実行する。これによって、対象者に薬の服用を促す音声が放音される。この場合、提供側制御部４０は、見守り装置１０に対し薬提供処理を実行させる指示を出してもよい。例えば、見守り装置１０は、見守り装置１０の検出エリアに人物が在室する場合に、薬提供処理を実行し、人物が在室しない場合は薬提供処理を実行しないようにしてもよい。
【００５４】
薬提供処理を実行した後、提供側制御部４０は、薬提供時刻検出部２２によって予め定めた「待ち時間」内に、昼用薬のピルケースが取り出されたか否かを判定する（ステップＳ５Ｂ）。この「待ち時間」は、上記したステップＳ７Ａの「待ち時間」と同じ値でもよいし、異なる値にしてもよい。また「待ち時間」を対象者又は管理者が任意に設定可能にしてもよい。
「待ち時間」内に昼用薬のピルケースが取り出されたと判定すると（ステップＳ５Ｂ：ＹＥＳ）、提供側制御部４０は、薬取出時刻検出部２２が検出した昼用薬取出時刻を日付と共に、提供側記憶部３５内に履歴情報ＤＤとして記憶する（ステップＳ６Ｂ）。
【００５５】
「待ち時間」内に昼用薬のピルケースが取り出されなかった場合（ステップＳ５Ｂ：ＮＯ）、提供側制御部４０は、計時部２４が計時する現在時刻が、「夜用薬提供時刻」に至ったか否かを判定し（ステップＳ１０Ｂ）、「夜用薬提供時刻」に至っていない場合、ステップＳ４Ｂの処理に移行する。ここでの「夜用薬提供時刻」は、基準時刻ＤＣが設定されている場合は「（基準）夜用薬提供時刻」であり、基準時刻ＤＣが設定されていない場合は「（初期）夜用薬提供時刻」である。
ステップＳ１０Ｂで「夜用薬提供時刻」に至ったと判定した場合、昼用薬のピルケースが取り出されていないので、提供側制御部４０は、昼用薬の取り出しが無かった旨を、日付と共に履歴情報ＤＤ内に記憶する（ステップＳ１１Ｂ）。このように、提供側制御部４０は、昼用薬が取り出されたことを記憶するまでか、若しくは昼用薬が取り出されなかったことを記憶するまで図７に示す制御フローを実行する。
【００５６】
図８は薬提供装置２０の夜用薬の提供動作を示すフローチャートである。
提供側制御部４０は、計時部２４が計時する現在時刻が「夜用薬提供時刻」に至ったか否かを判定する（ステップＳ１Ｃ）。ここでの「夜用薬提供時刻」は、基準時刻ＤＣが設定されている場合は「（基準）夜用薬提供時刻」であり、基準時刻ＤＣが設定されていない場合は「（初期）夜用薬提供時刻」である。
夜用薬提供時刻に至っていない場合（ステップＳ１Ｃ：ＮＯ）、提供側制御部４０は、所定の周期で、ステップＳ１Ｃの処理を実行する。
【００５７】
一方、夜用薬提供時刻に至ったと判定すると（ステップＳ１Ｃ：ＹＥＳ）、提供側制御部４０は、履歴情報ＤＤと薬情報ＤＡとに基づき、その夜用薬提供時刻に薬を服用したと仮定した場合に対象者の薬の摂取濃度が上限値以上になるか否かを判定する（ステップＳ２Ｃ）。
薬の摂取濃度が上限値以上になる場合（ステップＳ２Ｃ：ＹＥＳ）、提供側制御部４０は、夜用薬提供時刻を、薬の摂取濃度が上限値を超えない時刻に補正し（ステップＳ３Ｃ）、ステップＳ４Ｃの処理に移行する。
薬の摂取濃度が上限値未満の場合（ステップＳ２Ｃ：ＮＯ）、提供側制御部４０は、ステップＳ４Ｃの処理に移行する。
【００５８】
ステップＳ４Ｃでは、提供側制御部４０は、薬提供処理を実行し、対象者に薬の服用を促す音声を放音する。この場合、提供側制御部４０は、見守り装置１０に対し薬提供処理を実行させる指示を出してもよい。例えば、見守り装置１０は、見守り装置１０の検出エリアに人物が在室する場合に、薬提供処理を実行し、人物が在室しない場合は薬提供処理を実行しないようにしてもよい。
【００５９】
薬提供処理を実行した後、提供側制御部４０は、薬提供時刻検出部２２によって予め定めた「待ち時間」内に、夜用薬のピルケースが取り出されたか否かを判定する（ステップＳ５Ｃ）。この「待ち時間」は、上記したステップＳ７Ａ又はＳ５Ｂの「待ち時間」と同じ値でもよいし、異なる値にしてもよい。また「待ち時間」を対象者又は管理者が任意に設定可能にしてもよい。
「待ち時間」内に夜用薬のピルケースが取り出されたと判定すると（ステップＳ５Ｃ：ＹＥＳ）、提供側制御部４０は、薬取出時刻検出部２２が検出した夜用薬取出時刻を日付と共に、提供側記憶部３５内に履歴情報ＤＤとして記憶する（ステップＳ６Ｃ）。
【００６０】
「待ち時間」内に夜用薬のピルケースが取り出されなかった場合（ステップＳ５Ｃ：ＮＯ）、提供側制御部４０は、計時部２４が計時する現在時刻が、「就寝前用薬提供時刻」に至ったか否かを判定し（ステップＳ１０Ｃ）、「就寝前用薬提供時刻」に至っていない場合、ステップＳ４Ｃの処理に移行する。ここでの「就寝前用薬提供時刻」は、基準時刻ＤＣが設定されている場合は「（基準）就寝前用薬提供時刻」であり、基準時刻ＤＣが設定されていない場合は「（初期）就寝前用薬提供時刻」である。
ステップＳ１０Ｃで「就寝前用薬提供時刻」に至ったと判定した場合、夜用薬のピルケースが取り出されていないので、提供側制御部４０は、夜用薬の取り出しが無かった旨を、日付と共に履歴情報ＤＤ内に記憶する（ステップＳ１１Ｃ）。このように、提供側制御部４０は、夜用薬が取り出されたことを記憶するまでか、若しくは夜用薬が取り出されなかったことを記憶するまで図８に示す制御フローを実行する。
【００６１】
図９は薬提供装置２０の就寝前用薬の提供動作を示すフローチャートである。
提供側制御部４０は、計時部２４が計時する現在時刻が「就寝前用薬提供時刻」に至ったか否かを判定する（ステップＳ１Ｄ）。ここでの「就寝前用薬提供時刻」は、基準時刻ＤＣが設定されている場合は「（基準）就寝前用薬提供時刻」であり、基準時刻ＤＣが設定されていない場合は「（初期）就寝前用薬提供時刻」である。
就寝前用薬提供時刻に至っていない場合（ステップＳ１Ｄ：ＮＯ）、提供側制御部４０は、所定の周期で、ステップＳ１Ｄの処理を実行する。
【００６２】
一方、就寝前用薬提供時刻に至ったと判定すると（ステップＳ１Ｄ：ＹＥＳ）、提供側制御部４０は、履歴情報ＤＤと薬情報ＤＡとに基づき、その就寝前用薬提供時刻に薬を服用したと仮定した場合に対象者の薬の摂取濃度が上限値以上になるか否かを判定する（ステップＳ２Ｄ）。
薬の摂取濃度が上限値以上になる場合（ステップＳ２Ｄ：ＹＥＳ）、提供側制御部４０は、就寝前用薬提供時刻を、薬の摂取濃度が上限値を超えない時刻に補正し（ステップＳ３Ｄ）、ステップＳ５Ｄの処理に移行する。
【００６３】
ここで、就寝前用薬提供時刻を補正した場合、対象者が就寝している可能性がある。このため、提供側制御部４０は、対象者が就寝中か否かを判定し（ステップＳ４Ｄ）、就寝中と判定した場合は、ステップＳ１１Ｄの処理に移行し、就寝前用薬の取り出しが無かった旨を、日付と共に履歴情報ＤＤ内に記憶する。これによって、対象者の眠りを妨害しない対応を実現できる。
なお、対象者が就寝中か否かは、履歴情報ＤＤに、見守り装置１０が検出した本日の就寝時刻が含まれているか否かを判定すること、或いは、見守り装置１０に対し、対象者が就寝中か否かを確認する指示を出し、見守り装置１０から確認結果を受信することなどによって実現される。
【００６４】
また、薬の摂取濃度が上限値未満の場合（ステップＳ２Ｄ：ＮＯ）、提供側制御部４０は、ステップＳ５Ｄの処理に移行する。
ステップＳ５Ｄでは、提供側制御部４０は、薬提供処理を実行し、対象者に薬の服用を促す音声を放音する。この場合、提供側制御部４０は、見守り装置１０に対し薬提供処理を実行させる指示を出してもよい。例えば、見守り装置１０は、見守り装置１０の検出エリアに人物が在室する場合に、薬提供処理を実行し、人物が在室しない場合は薬提供処理を実行しないようにしてもよい。
【００６５】
薬提供処理を実行した後、提供側制御部４０は、薬提供時刻検出部２２によって予め定めた「待ち時間」内に、就寝前用薬のピルケースが取り出されたか否かを判定する（ステップＳ６Ｄ）。この「待ち時間」は、上記したステップＳ７Ａ、Ｓ５Ｂ又はＳ５Ｃの「待ち時間」と同じ値でもよいし、異なる値にしてもよい。また「待ち時間」を対象者又は管理者が任意に設定可能にしてもよい。
「待ち時間」内に夜用薬のピルケースが取り出されたと判定すると（ステップＳ６Ｄ：ＹＥＳ）、提供側制御部４０は、薬取出時刻検出部２２が検出した就寝前用薬取出時刻を日付と共に、提供側記憶部３５内に履歴情報ＤＤとして記憶する（ステップＳ７Ｄ）。
【００６６】
「待ち時間」内に就寝前用薬のピルケースが取り出されなかった場合（ステップＳ６Ｄ：ＮＯ）、提供側制御部４０は、ステップＳ１１Ｄの処理に移行し、就寝前用薬の取り出しが無かった旨を、日付と共に履歴情報ＤＤ内に記憶する。
このように、提供側制御部４０は、就寝前用薬が取り出されたことを記憶するまでか、若しくは就寝前用薬が取り出されなかったことを記憶するまで図９に示す制御フローを実行する。
【００６７】
以上説明したように、薬提供装置２０の提供側制御部４０は、図６のステップＳ２Ａ、Ｓ３Ａ、Ｓ４Ａに記載の通り、基準時刻ＤＣである「（基準）朝用薬提供時刻」と対象者の起床時刻との差に応じて朝用薬提供時刻を特定する。そして、提供側制御部４０は、図６のステップＳ５Ａ、Ｓ６Ａに記載の通り、特定した朝用薬提供時刻に、対象者に薬を提供する処理（薬提供処理）を実行する。これにより、対象者に朝寝坊などの例外的な事態が生じても適切に薬を提供可能になる。
【００６８】
しかも、提供側制御部４０は、上記差が、基準時刻ＤＣ内の「（基準）起床時刻と朝用薬提供時刻の差分時間」以上の場合に、「（基準）朝用薬提供時刻」を朝用薬提供時刻にし、上記差分時間未満の場合、上記差を、上記差分時間以上にする時刻を朝用薬提供時刻にしている。これにより、対象者が朝寝坊しても、食事を取る時間を確保した後に薬提供処理を実行することができる。従って、起床直後の胃が空の状態で薬を服用する事態を避け易くなる。
【００６９】
また、提供側記憶部３５は、薬取出時刻を含む履歴情報ＤＤと薬情報ＤＡとを記憶し、提供側制御部４０は、図７のステップＳ２Ｂ、Ｓ３Ｂなどに記載した通り、履歴情報ＤＤと薬情報ＤＡとに基づき、薬提供時刻を、薬の摂取濃度が予め定めた上限値を超えない時刻に補正する。これにより、対象者が朝寝坊したことに伴い、朝用薬と昼用薬の時間間隔が近づいても、薬の摂取濃度を適正範囲に抑えて対象者に薬を提供することが可能になる。
【００７０】
また、提供側制御部４０は、提供側記憶部３５内に記憶された薬取出時刻の履歴情報ＤＤのうち、基準時刻ＤＣからのずれか所定時間（例えば前後二時間）内に収まる薬取出時刻の平均値を求め、この平均値の値に基準時刻ＤＣを更新する更新処理を行う。これにより、例外的な薬取出時刻を除外しながら、対象者の生活リズムに合わせた基準時刻ＤＣに更新することができる。
【００７１】
また、基準時刻ＤＣは、起床時刻の基準時刻である「（基準）朝用薬提供時刻」を含み、履歴情報ＤＤは、起床時刻取得部として機能する見守り装置１０によって取得した起床時刻を含んでいる。そして、提供側制御部４０は、履歴情報ＤＤに含まれる起床時刻のうち、「（基準）朝用薬提供時刻」からのずれが所定時間（例えば前後二時間）内に収まる起床時刻の平均値を求め、この平均値の値に、「（基準）朝用薬提供時刻」を更新する更新処理を行う。これにより、例外的な起床時刻を除外しながら、対象者の生活リズムに合わせた「（基準）朝用薬提供時刻」に更新することができる。
【００７２】
＜第２実施形態＞
図１０は本発明の第２実施形態に係る服薬支援装置１のブロック図である。この服薬支援装置１は、第１実施形態の薬提供装置２０に、見守り装置１０の、対象者の起床・就寝検出機能を追加した構成である。なお、第１実施形態と同様の構成は同一の符号を付して重複説明は省略する。
【００７３】
図１０に示すように、薬提供装置２０は、センサー部１１を有し、提供側制御部４０は、センサー部１１の検出結果に基づき、対象者が起床しているか否か、及び対象者が就寝しているか否かを検出する。これによって、対象者の起床時刻及び就寝時刻が取得され、履歴情報ＤＤとして記憶される。また、この服薬支援装置１の動作は、第１実施形態の見守り装置１０が行っていた動作を薬提供装置２０が行うようにした点を除いて、第１実施形態と同様である。
これにより、第１実施形態と同様に、対象者に朝寝坊などの例外的な事態が生じても適切に薬を提供可能になる。また、この服薬支援装置１では、第１実施形態の見守り装置１０のセンサー部１１以外の構成を不要にできるので、全体構成を簡易化し易くなる。
また、薬提供装置２０が見守り装置１０の全ての機能を具備するようにしてもよい。
【００７４】
上記各実施の形態では、センサー部１１が赤外線センサーを有する構成の場合を例示したが、赤外センサーに限定されない。例えば、カメラ、マットセンサ、生体センサー、ドップラーセンサー、人感センサーなどの他のセンサーを複合して利用してもよい。また、人感センサーを設ける場合は、薬提供時刻に人の接近を検知することで服薬支援装置１からピルケースの排出を行ってもよく、その場合はピルケース排出スイッチを省いてもよい。同様に、タッチパネル式の表示部２５を利用することで、タッチパネル２６上にピルケース排出ボタンを表示し、操作できるようにすることで、ピルケース排出スイッチを省いてもよい。
【００７５】
また、上記各実施の形態において、対象者の起床・就寝の判定は上記に限らず、バイタルセンシングなどの各種センサーを利用することで代用してもよい。その場合は対象者の体温、体動、脈拍、心拍、脳波、呼吸のいずれかに基づいて起床・就寝と判定してもよく、もちろん併用して総合的に判定するようにしてもよい。
【００７６】
また、上記各実施の形態では、就寝前用薬を提供する際に就寝中であれば通知しない場合を説明したが、これに限定されない。例えば、服薬支援装置１が薬の重要度を記憶しており、就寝前用薬は必ず飲まなくてはならない薬である事が事前にわかっている場合は。対象者に薬を提供すべきであるため、対象者を起こすために通知を行って薬の服用を促す構成にしてもよい。
【００７７】
また、上記各実施の形態では、朝用薬、昼用薬、夜用薬、就寝前用薬の４種類の薬を提供する場合を説明したが、これに限らず、例えば朝用薬と夜用薬だけを提供するなど、対象者又は管理者の設定に応じて薬を提供可能にしてもよい。
【００７８】
また、上記各実施の形態では、図６のステップＳ２Ａなどに記載したように、基準時刻ＤＣである「（基準）朝用薬提供時刻」と対象者の起床時刻との差が「（基準）起床時刻と朝用薬提供時刻の差分時間」未満の場合に、朝用薬提供時刻を遅らせる場合を説明したが、これに限定されない。
例えば、対象者の起床時刻が、「（基準）起床時刻」よりも早い場合は、「（基準）起床時刻と朝用薬提供時刻の差分時間」を確保可能な範囲で、朝用薬提供時刻を早めるように変更してもよい。
【００７９】
例えば、対象者が06:00に目覚めた場合、06:00に上記「差分時間」の46分を足した時刻を朝用薬提供時刻にし、06:46に朝用の薬の提供時間がきた旨を対象者に報知するようにしてもよい。
【００８０】
更に応用をし、基準時刻ＤＣの各薬提供時刻よりも早めに薬が取り出されたことを服薬支援装置１が検知した場合は、早まった分だけ以降の薬提供時刻（例えば、昼、夜、就寝前の薬提供時刻）を早め、以降に提供する薬の時間も早めに通知してもよい。
対象者が早く起床して活動を始めた場合、就寝時間も早まる可能性があり、場合によっては就寝前に薬を飲むケースにおいて、対象者が服薬の通知を受ける前に就寝してしまう場合が考えられる。本変形例のように時間が早まったことを事前に考慮して通知する事によって、そのようなケースもカバーすることが可能となる。
【００８１】
また、上記した各装置１０、２０の構成要素は、分割してもよいし、併合してもよい。また、各構成要素は、ハードウェアとソフトウェアの協働により任意に実現可能である。また、各フローチャートについても、各ステップに対応する処理を分割してもよいし、併合してもよい。
【符号の説明】
【００８２】
１  服薬支援装置（服薬支援システム）
１０  見守り装置
１１  センサー部（起床時刻取得部）
１３  見守り側制御部
１４、２３  通信部
１５  見守り側報知部
２０  薬提供装置
２１  薬提供部
２２  薬取出時刻検出部
２４  計時部
２５  表示部
２７  提供側報知部
３５  提供側記憶部
４０  提供側制御部
ＤＡ  薬情報
ＤＢ  初期設定情報
ＤＣ  基準時刻
ＤＤ  履歴情報
【図１】
2018089303.tif 000003
【図２】
2018089303.tif 000004
【図３】
2018089303.tif 000005
【図４】
2018089303.tif 000006
【図５】
2018089303.tif 000007
【図６】
2018089303.tif 000008
【図７】
2018089303.tif 000009
【図８】
2018089303.tif 000010
【図９】
2018089303.tif 000011
【図１０】
2018089303.tif 000012